(57)【要約】【課題】エコで、強度と扇ぎ易さを両立させた紙製うちわを提供する。【解決手段】送風体と持手を共に一枚の厚紙で作成された紙製うちわであって、拡面形状の送風体の下部にくびれ及び円弧形状の折曲線を介して持手を形成したうちわ本体部と、該持手の下端の折曲線を介して、持手、くびれ及び送風体の一部分を形成した補強部を折曲線に対して対称的に設け、該本体部と補強部に設ける持手が人の手で握れる長さの円筒状で、左右に紡錘状の立上片を形成し中央に梯形の握片を形成し得る円弧状の折曲線を設け、持手の下端の折曲線を折り曲げて対称的に設けた補強部を重ね合わせて本体部と補強部を本体部のみに設けた円弧形状の折れ線の上方で固着してなることを特徴とする紙製うちわ。【選択図】図５
0003170576.tif 000002
【実用新案登録請求の範囲】
【請求項１】
送風体（１）と持手（２）を共に一枚の厚紙で作成された紙製うちわであって、拡面形状の送風体（１）の下部にくびれ（３）及び円弧形状の押目（４）を介して持手（６）を形成したうちわ本体部（Ａ）と、該持手の下端の折曲線（５）を介して、持手（２’）、くびれ（３’）及び送風体の一部分（６）を形成した補強部（Ｂ）を折曲線（５）に対して対称的に設け、該本体部と補強部に設ける持手（２，２’）が人の手で握れる長さの円筒状で、左右に紡錘状の立上片（７）を形成し中央に梯形の握片（８）を形成し得る円弧状の折曲線（９）を設け、持手の下端の折曲線（５）をに折り曲げて対称的に設けた補強部（Ｂ）を本体部（Ａ）裏面に重ね合わせて、本体部（Ａ）と補強部（Ｂ）とを本体部（Ａ）のみに設けた円弧形状の押目（４）の上方で固着してなることを特徴とする紙製うちわ。
【請求項２】
本体部（Ａ）と補強部（Ｂ）との固着が、接着剤、両面接着テープ、ホットメルト接着剤、切り込みとベロとの固着から選ばれた一種であることを特徴とする請求項１に記載の紙製うちわ。
【請求項３】
補強部（Ｂ）に形成する送風体の一部（６）が、その送風体（１）の面積比で１／３〜１／５であり、かつ先端部が円弧形状であることを特徴とする請求項１又は２に記載の紙製うちわ。
【請求項４】
本体部（Ａ）に形成する円弧形状の押目（６）の上端が、くびれ開始部（１０）以下であることを特徴とする請求項１〜３のいずれか一項に記載の紙製うちわ。
【請求項５】
本体部の送風体（１）に複数の補強リブ（１２）が設けられていることを特徴とする請求項１〜４のいずれか一項に記載の紙製うちわ。
【考案の詳細な説明】
【技術分野】
【０００１】
本考案は紙製うちわに関し、特に、送風体から持手にいたるまで全て板紙で作製されたものであって、特に化成品を一切用いることのない紙製うちわに関するものである。
【背景技術】
【０００２】
従来、あらゆる場所で空調設備が完備し、蒸し暑い夏や厳寒の冬を快適に過ごせるようになってきたが、昨今、東日本大震災により電力が不足し節電が余儀なくされており、電力消費の大きい空調設備の使用が困難となり、替わって昔からの送風具であるうちわの需要が大きくなることが予想される。
また、東日本大震災で被災し避難所での生活を余儀なくされた人々にとって、簡易な送風具であるうちわは暑い夏に向かう季節には欠かせないものとなっている。
【０００３】
更に、暑い時期に街頭やスポーツ、祭り等の催し物会場で宣伝広告のためにうちわを無料配布することがしばしば行われており、無料配布するうちわは安価に量産できるものでなければならず、プラスチック製の骨組みを持つうちわや、円形の送風体を持つ厚紙に親指が挿入可能な孔を単に設けたもの、紙製のうちわ等が用いられている。
しかしながら、プラスチック製の柄や骨組みを持つうちわは、焼却廃棄の際にダイオキシンなどが発生し環境を破壊する恐れがあり、また、プラススチックと紙とを分離しなければリサイクルができない等の問題がある。
また、無料配布するうちわには、イベントやお祭り等のチケット、お店や屋台等の割引券、抽選会の引換券、などのクーポン券付きのうちわも登場している。
【０００４】
例えば、実質的に全ての部分がダンボール紙で形成され、送風本体部と握り部とが一体化されてなるダンボール団扇が特許文献１に開示されている。
また、紙製本体に擬似接着層を備え、本体の適宜個所にクーポン券を切り離し可能に設けた紙製団扇が特許文献２に開示されている。
更に、一枚の厚紙を用い、扇ぎ葉の下部に中央柄を設け、その中央柄上に左右の補強版を重ね合わせた紙うちわが特許文献３に開示されている。
しかしながら、紙製うちわであって、持手が立体的で扇ぐ時に送風体がペナペナすることなくしっかりと強固に固定され、かつ送風力が強く、コストの低いうちわは存在せず、そのような紙製うちわの提供が望まれていた。
【先行技術文献】
【特許文献】
【０００５】
【特許文献１】特開２００４−３２１３４９号公報
【特許文献２】特開２００２−３３６０２１号公報
【特許文献３】特開平０８−３２２６２３号公報
【考案の概要】
【考案が解決しようとする課題】
【０００６】
本考案は、エコロジーでリサイクルに適し、片面印刷可能でコストを抑え易く、持手が立体的で持ち易く強度もあり、クーポン券を付けるのに好適な、一枚の厚紙から作成される紙製うちわに関するものである。
【課題を解決するための手段】
【０００７】
本考案者らは、上記の従来技術の問題点を解決するために鋭意検討した結果、本考案をなすに至った。
即ち、本考案の第１は、送風体（１）と持手（２）を共に一枚の厚紙で作成された紙製うちわであって、拡面形状の送風体（１）の下部にくびれ（３）及び円弧形状の押目（４）を介して持手（６）を形成したうちわ本体部（Ａ）と、該持手の下端の折曲線（５）を介して、持手（２’）、くびれ（３’）及び送風体の一部分（６）を形成した補強部（Ｂ）を折曲線（５）に対して対称的に設け、該本体部と補強部に設ける持手（２，２’）が人の手で握れる長さの円筒状で、左右に紡錘状の立上片（７）を形成し中央に梯形の握片（８）を形成し得る円弧状の折曲線（９）を設け、持手の下端の折曲線（５）をに折り曲げて対称的に設けた補強部（Ｂ）を本体部（Ａ）裏面に重ね合わせて、本体部（Ａ）と補強部（Ｂ）とを本体部（Ａ）のみに設けた円弧形状の押目（４）の上方で固着してなることを特徴とする紙製うちわ、である。
【０００８】
本考案の第２は、本体部（Ａ）と補強部（Ｂ）との固着が、接着剤、両面粘着テープ、ホットメルト粘着剤、切り込みとベロとの固着から選ばれた一種であることを特徴とする第１に記載の紙製うちわ、である。
本考案の第３は、補強部（Ｂ）に形成する送風体の一部（６）が、その送風体（１）の面積比で１／３〜１／５であり、かつ先端部が円弧形状であることを特徴とする第１又は２に記載の紙製うちわ、である。
本考案の第４は、本体部（Ａ）に形成する円弧形状の押目（６）の上端が、くびれ開始部（１０）以下であることを特徴とする第１〜３のいずれか一項に記載の紙製うちわ、である。
本考案の第５は、本体部の送風体（１）に複数の補強リブ（１２）が設けられていることを特徴とする第１〜４のいずれか一項に記載の紙製うちわ、である。
【考案の効果】
【０００９】
本考案の紙製うちわは、一枚の厚紙で作成されたうちわであるので、プラスチックなどの化成品を一切使用していない全てが紙製品であるため、エコロジーであり、リサイクルに適したものである。
また、一枚の厚紙で作成されるので、両面印刷しなくても片面印刷して折り重ねることによって作成されるのでコストの低減が図れる。
また、持手の部分が簡易的な組立式となっているので、組立前は平らの状態であるので配送に適している。
【００１０】
また、持手の部分が立体状であり、大人でも子供でも握り易く、また立体状とする場合に持手と送風体とがＲ状になるため強度や剛性を保つことができる。
また、送風体の一部にくじや景品等のクーポン券付きとすることにより販売促進グッズとしても使える。
また、送風体に複数の補強リブが設けられている従来のうちわをリアルに再現することができ、強度を保つことができる。
更に、持手部分と送風体の境界に設けた円弧形状の折れ線により強度や剛性を保ち、かつ送風し易くする。
【図面の簡単な説明】
【００１１】
【図１】図１は、本考案の紙製うちわを作成するための一枚の厚紙で作成されたブランクの平面図の一例である。
【図２】図２は、補強体（Ｂ）を本体部（Ａ）に重ね合わせて両者を固着した平面図の一例である。
【図３】図３は、切り込み（１３）とベロ（１４）による固着の一態様の平面図である。
【図４】図４は、送風体に補強リブ（１２）を設けた態様の平面図である。
【図５】図５は、補強体（Ｂ）の立上片（７）を立ち上げ、その後本体部（Ａの立上片（７）を補強体（Ｂ）の立上片（７）の外側に立ち上げた態様の概略図である。
【図６】図６は、図５の側面図である。
【図７】図７は、本考案のクーポン券（１５）付き紙製うちわの平面図である。
【図８】図８は、残部覆（１６）を折曲線送風体の上辺に設けた本考案の紙製うちわの平面図である。
【考案を実施するための形態】
【００１２】
本考案を図面を用いて説明する。
図１は、本考案の紙製うちわを形成するに用いる一枚の厚紙で作成されたブランクの表面の平面図である。
ブランクには送風体（１）が設けられている。該送風体は作成されたうちわで扇ぐ場合に、扇面となって風を送るためのものであり、比較的面積の大きい拡面形状に形成されており、その形状は、円形状、方形状、扇形状などの、通常うちわで採用されている形状が採用されるものであるが、例えばスポーツ業界ではグローブ形状二する如く、うちわを使用する業界の各ニーズにあわせて自由な形状を採用してもよく、本明細書においては、図１に示す如く、方形状のうちわで説明する。
ブランクは、拡面形状の送風体（１）の下部にくびれ（３）と円弧状の押目（４）を介して持手（２）を形成した本体部（Ａ）と、該持手（２）の下端に折曲線（５）を介して持手（２’）及びくびれ（３’）を介して送風体の一部分（６）形成した補強部（Ｂ）とが折曲線（５）に対して対称的に設けられている。
【００１３】
先ず本体部（Ａ）について説明する。
該送風体（１）の下部には、くびれ（３）及び円弧状の押目（４）を介して持手（２）が形成されている。ここで、くびれ（３）とは、通常のうちわでは扇面と柄との結合が扇形状の骨組みで形成されているのと同様に送風体（１）と持手（２）とを結合する扇形状の部分のことである。また、円弧状の押目（４）は、くびれ（３）と持手（２）との接続部の一端を開始点として他端に至る円弧状に形成されるもので、円弧状の押型を圧着して形成した折り目であり、該押目は図１で送風体の上端部を持って手前に曲げれば押目を介して簡単に折り曲げられるが同様に後方に曲げると曲がらないものである。円弧状の押目の最上端は、くびれ開始部以下であることが望ましい。
【００１４】
持手（２）は、うちわを形成した場合に、うちわの握部、即ち柄となる部分であり、うちわの利用者、即ち人が手で握れる長さ、通常は８ｃｍ乃至１４ｃｍの長さであり、円筒状に形成する。該持手（２）には、くびれと持手の接続部の外点（ａ）からくびれの延長上の少し内側の点（ｂ）を起点とし、該点（ｂ）から円筒状の下端の折曲線（５）と円弧状の外側との交点より少し外側の点（ｃ）にかけて円筒状の外側円弧と対称的な円弧状の折曲線（９）を左右対称に２本設ける。該円弧状の折曲線（９）はミシン目で設けるので下側に屈曲可能である。したがって、左右対称に２本の該円弧状の折曲線（９）が設けられた結果、持手（２）には、円筒状の外側円弧と円弧状の折曲線（９）とで囲まれた紡錘形状の立上片（７）が左右対称に設けられ、中央には梯形の握片（８）が形成される。ここで梯形とは、長方形の両長辺が円弧である形状を指す。
【００１５】
次に補強部（Ｂ）について説明する。
前述の如く、持手（２）の下端に折曲線（５）に対して対称的に設けられる補強部（Ｂ）は、折曲線（５）を介して持手（２’）及びくびれ（３’）を介して送風体の一部分（６）が設けられている。持手（２’）及びくびれ（３’）は折曲線（５）に対して対称的に設けられているのであるから、前述の持手（２）及びくびれ（３）と同じであり、したがって、持手（２’）に設ける円弧状の折曲線も前述のとおりであり、該２本の折曲線により形成される左右の立上片及び梯形の握片も同じである。
但し、補強部（Ｂ）には、本体部（Ａ）で設けた円弧の押目は形成されていない。その
理由は後述する。
【００１６】
くびれを介して設けられる送風体の一部分（６）は、本体部の送風体を支えて強度や剛性を保持する機能を有するものである。ここで、一部分とは、該機能を発揮し得る程度の面積であれば良く、その面積比は特に限定されないが、具体的には送風体の面積比で１／２〜１／５である。また、該一部分（６）の上端の形状は、水平形状でも円弧形状でも如何なる形状でもよいが、該一部分（６）が、本体部の送風体（１）を支えて強度や剛性を保つ機能を有するものであることからみて、力が均等に及ぶ形状、即ち円弧形状が好ましい。
【００１７】
以上に述べた紙製うちわのブランクは、次に折曲線（５）を折り曲げて、補強体（Ｂ）を本体部（Ａ）の裏側に重ね合わせて両者を固着する。
固着する位置は、円弧状の押目（４）の最上部より上であれば如何なる位置でも良いが、通常の大きさのうちわ（１８ｃｍ）であれば、押目の最上部より０．５ｃｍ〜５ｃｍ上の範囲に位置させることが好ましい。補強体（Ｂ）と本体部（Ａ）とは折曲線（５）を介して対称的に設けているから、両者を重ね合わせると、図２に示す如く、補強体（Ｂ）の持手、くびれ及び送風体の一部が、本体部（Ａ）とぴったりと一致して重なる。図２に補強体（Ｂ）を本体部（Ａ）に重ね合わせて両者を固着したものの平面図を示す。
【００１８】
両者の固着（１１）は、如何なる固着手段でも良いが、固着手段としては、接着剤、両面粘着テープ、ホットメルト粘着剤、切り込みとベロとの固着から選ばれた一種であることが好ましく、一般的には両面接着テープによる固着が好ましい。図１、２では両面粘着テープで固着した態様を示しているが、図３に切り込み（１３）とベロ（１４）による固着の態様を示しており、両者を重ね合わせた後、ベロ（１４）を起こして切り込み（１３）に挿入して両者を固着する。
【００１９】
更に、図４に示す如く、送風体に補強リブ（１２）を設けることが望ましい。補強リブは、通常のうちわにおける骨組みと同様の機能を果たすものであり、直線状の押型を圧着することにより送風体の表面に押目を設けるものであり、該押目は送風体の強度、特に縦方向の強度を高めるものであり、また、見た目にもうちわの骨組みらしく見えて意匠的に好ましいものである。該補強リブは直線状に限らず、例えば曲線状や渦巻状でもよい。
【００２０】
次に、図２に示された補強体（Ｂ）と本体部（Ａ）とが固着された紙製うちわの使用方法について述べる。
図１及び２には、固着が両面粘着テープである態様を示しており、使用者が該テープの剥離紙を剥がして固着してもよく、また図３の切り込みとベロによる固着では使用者がベロを起こして切り込みにベロを差し込んで固着する。接着剤やホットメルト粘着剤での固着では予め提供者が予め固着しておくのが好ましい。
【００２１】
図２に基づいて説明すると、使用者は固着された紙製うちわの本体部（Ａ）の持手（２）に形成された円弧状の折曲線（９）を山折りに折り曲げて、左右に形成された立上片７を梯形の握片（８）に対して下方に垂直に立ち上げる。その後、補強体（Ｂ）の持手（２’）に形成された円弧状の折曲線を山折りに折り曲げて、左右の立上片を梯形の握片に対して垂直に立ち上げて本体部（Ａ）の立上片の外側に重ねる。以上の立上片の立ち上げ順序はその逆、即ち、補強体（Ｂ）の立上片を立ち上げ、その後本体部（Ａ）立上片を補強体（Ｂ）の立上片の外側に立ち上げてもよい。持手を組み立てた態様の概略図を図５に、その側面図を図６に示す。その結果、持手（２）は、上下が本体部（Ａ）と補強体（Ｂ）の梯形の握片で構成され、左右が両者の立上片の重ね合わせで構成された立体的な持手となる。
したがって、大人でも子供でも持ち易い持手となる。
【００２２】
更に、円弧状の折曲線（９）を山折りに折り曲げて、左右の立上片７を垂直に立ち上げると、円弧状の折曲線（９）の開始点が（ｂ）にあることから、左右の立上片７の立ち上げにより、送風体は前に少し傾斜し、かつ左右が絞られる状態になる。この状態は送風体に力が加わり、柔軟性及び剛性が加わることを意味する。この状態は本体部と補強部とに生じるもので両者の傾斜や力が拮抗するが、本体部のみに設けた円弧状の押目（４）により送風体（１）が反転し、結果として、補強体の送風体の一部分（６）が送風体（１）を支えることとなり、うちわの強度、柔軟性、剛性が増加し、扇ぎ易さが達成される。
【００２３】
図７に、本考案のクーポン券付き紙製うちわを示す。図７では右肩に切り離し可能に設けているが、その設置場所、及びその数は特に限定されないが、例えば右下に設けて本体部と補強部との間に隠しくじ等を設けることも可能である。
本考案の紙製うちわは、図１に示す如く一枚のブランクからなり、それを折り重ねて作成するのであるから、印刷を施す場合には、片面に印刷すればよい。しかしながら、補強部では送風体の一部分しか形成されていないので、片面印刷では残りの部分に印刷を施すことができない。図８に片面印刷によりうちわの両面の全てに印刷を施す必要がある場合に補強部の送風体の１部分（６）では覆いきれない部分を覆うための残部覆（１６）を有する態様を示す。図８では残部覆（１６）を送風体の上辺に折曲線を介して設けているが、その設置位置は左右のいずれかの辺でもよい。図８の態様では、片面に印刷を施し、補強部を折り曲げて本体部に重ね合わせ、更に、残部覆を折り曲げて残部を覆うことにより、両面全体に印刷が施された紙製うちわが得られる。
【産業上の利用可能性】
【００２４】
本考案により、化成品を一切使用しないのでエコでリサイクル可能で、片面印刷のみで両面印刷物が得られるので経済的であり、持手（柄）が立体的であるので握り易く、組み立て前は平板であるので配送や保管が容易であり、クーポン券付きとしても利用でき、送風体に傾斜をつけたので強度と扇ぎ易さを両立でき、送風体に補強リブを設けたので従来のうちわの外観を有し強度が増した紙製うちわを提供することができた。
【符号の説明】
【００２５】
Ａ  本体部
Ｂ  補強部
１  送風体
２  持手
３  くびれ
４  円弧状の押目
５  折曲線
６  送風体の一部分
７  立上片
８  梯形の握片
９  円弧状の折曲線
１０  くびれ開始部  
１１  固着部
１２  補強リブ部
１３  切り込み
１４  ベロ
１５  クーポン券
１６  残部覆
【図１】
0003170576.tif 000003
【図２】
0003170576.tif 000004
【図３】
0003170576.tif 000005
【図４】
0003170576.tif 000006
【図５】
0003170576.tif 000007
【図６】
0003170576.tif 000008
【図７】
0003170576.tif 000009
【図８】
0003170576.tif 000010